(57)【特許請求の範囲】
【請求項１】
上方からみたときの平面視において矩形状の内側縁を有する浴槽の上方を覆うことが可能な矩形状の風呂蓋であって、
前記浴槽の上方を覆うと、前記浴槽内の熱により反りを生じて前記風呂蓋の下側が前記内側縁の隅部と密着するように変形し、前記変形した前記風呂蓋と前記隅部とのあいだにおける隙間の発生を抑制することを特徴とする風呂蓋。
【請求項２】
上方からみたときの平面視において矩形状の内側縁を有する浴槽の上方を覆うことが可能な矩形状の風呂蓋であって、
前記風呂蓋の下面の対角線上における熱膨張量を、前記風呂蓋の中心部および前記風呂蓋の側辺の中央部を通る仮想線上における熱膨張量よりも抑制する熱膨張抑制手段を備え、
前記熱膨張抑制手段は、前記風呂蓋の周縁の反り量が略均一となるように、前記風呂蓋の隅部における反り量を前記側辺の中央部における反り量と同等とすることを特徴とする風呂蓋。
【発明の詳細な説明】
【技術分野】
【０００１】
本発明の態様は、一般的に、浴槽の上に載せる風呂蓋に関する。
【背景技術】
【０００２】
昨今の環境的な意識の高まりを受けて、浴槽内に張った湯の保温性を高めることが大きな課題の一つになっている。この課題に対応して、保温性に大きな影響のある風呂蓋についても、高い断熱性が求められている。
【０００３】
断熱性の高い風呂蓋としては、従来から表裏の樹脂面材の間に断熱材を挟む、または充填したものなどが用いられている。  
断熱性の高い風呂蓋は、特に冬場など寒い環境での浴槽保温などを行う実使用上において、必然的に蓋の上面と下面とに温度差が生じる。この温度差によって、蓋の上面及び下面の材料の熱膨張量が異なってしまい、蓋がバイメタル状に反るという事象が発生する。
【０００４】
このような風呂蓋の反りを低減させるために、風呂蓋の構成素材を線膨張係数の十分小さい素材として対策する手法もある。例えば、風呂蓋の構成素材としてアルミニウムなどの金属薄板の使用や、特殊な樹脂の使用、ガラス繊維やカーボン繊維などの強化材を使った構成が挙げられる。
【０００５】
特許文献１では、線膨張係数の小さいガラス繊維またはカーボン繊維を粗い目のネット状に形成して反り防止部材を構成し、この反り防止部材を断熱材の表裏面に設けた平板状の風呂蓋が開示されている。このような構成によって、使用時の風呂蓋の反りを防いでいる。
【０００６】
しかし、このような手法では、重量の増加を招くとともにコストの上昇を招き、また使い勝手上でも問題が生ずる。
【先行技術文献】
【特許文献】
【０００７】
【特許文献１】特開２００６−１７５１１２号公報
【発明の概要】
【発明が解決しようとする課題】
【０００８】
本発明は、かかる課題の認識に基づいてなされたものであり、高い断熱性を有し、軽量で使い勝手のよい風呂蓋を提供することを目的とする。
【課題を解決するための手段】
【０００９】
第１の発明は、上方からみたときの平面視において矩形状の内側縁を有する浴槽の上方を覆うことが可能な矩形状の風呂蓋であって、前記浴槽の上方を覆うと、前記浴槽内の熱により反りを生じて前記風呂蓋の下側が前記内側縁の隅部と密着するように変形し、前記変形した前記風呂蓋と前記隅部とのあいだにおける隙間の発生を抑制することを特徴とする風呂蓋である。
【００１０】
この風呂蓋は、浴槽の矩形状の内側縁と密接するように反る。そのため、浴槽内の熱で反った風呂蓋と、浴槽の四隅と、の間に隙間が生じにくい。これにより、風呂蓋を反らないように強固に形成する必要はなく、浴槽内に張られた湯の熱が外へ逃げることを抑制することができる。また、高い断熱性を有する軽量で使い勝手のよい風呂蓋を提供することができる。さらに、低コスト化を図ることができる。
【００１１】
なお、本願明細書において、「矩形状」という範囲には、角部に丸みを帯びた形状や、辺が曲線となった形状が含まれるものとする。
【００１２】
また、第２の発明は、上方からみたときの平面視において矩形状の内側縁を有する浴槽の上方を覆うことが可能な矩形状の風呂蓋であって、前記風呂蓋の下面の対角線上における熱膨張量を、前記風呂蓋の中心部および前記風呂蓋の側辺の中央部を通る仮想線上における熱膨張量よりも抑制する熱膨張抑制手段を備え、前記熱膨張抑制手段は、前記風呂蓋の周縁の反り量が略均一となるように、前記風呂蓋の隅部における反り量を前記側辺の中央部における反り量と同等とすることを特徴とする風呂蓋である。
【００１３】
この風呂蓋によれば、熱膨張抑制手段が風呂蓋の下面の対角線上の熱膨張量をより小さく抑える、すなわち風呂蓋の方向によって熱膨張量を制御することにより、風呂蓋の周縁の反り量を略均一化させ、浴槽の内側縁に風呂蓋をより確実に密接させることができる。これにより、風呂蓋を反らないように強固に形成する必要はなく、浴槽内に張られた湯の熱が外へ逃げることを抑制することができる。また、高い断熱性を有する軽量で使い勝手のよい風呂蓋を提供することができる。さらに、低コスト化を図ることができる。
【発明の効果】
【００１４】
本発明の態様によれば、高い断熱性を有し、軽量で使い勝手のよい風呂蓋が提供される。
【図面の簡単な説明】
【００１５】
【図１】本発明の実施の形態にかかる風呂蓋を表す模式図である。
【図２】本実施形態にかかる風呂蓋を主面に対して垂直にみたときの模式的平面図である。
【図３】本実施形態の風呂蓋の具体例を例示する模式的平面図である。
【図４】図３に表したＢ−Ｂ線の模式的断面図である。
【図５】図３に表したＢ−Ｂ線の他の模式的断面図である。
【図６】本実施形態の風呂蓋の他の具体例を例示する模式的分解図である。
【図７】本具体例の上面側繊維材および下面側繊維材を表す模式的平面図である。
【発明を実施するための形態】
【００１６】
以下、本発明の実施の形態について図面を参照しつつ説明する。なお、各図面中、同様の構成要素には同一の符号を付して詳細な説明は適宜省略する。  
図１は、本発明の実施の形態にかかる風呂蓋を表す模式図である。  
なお、図１（ａ）は、風呂蓋１１０が浴槽３００に置かれた状態を例示する模式的斜視図である。図１（ｂ）は、図１（ａ）に表したＡ−Ａ線の模式的断面図である。  
図１（ａ）に表したように、本実施形態に係る風呂蓋１１０は、浴槽３００のリム部３１０における上面３１１に載せられる平板状の蓋である。
【００１７】
風呂蓋１１０は、浴槽３００の開口３０１を塞いで浴槽内３０２に張られた湯Ｗの熱が外へ逃げることを防ぐ。例えば上方からみたときの平面視において、風呂蓋１１０は、略矩形状を呈し、略矩形状の内側縁３０３を有する浴槽３００の上方を覆うことができる。浴槽３００は、底部３３０及び側壁３２０によって浴槽内３０２の空間が形成され、側壁３２０の上端から外方にリム部３１０が設けられた構成になっている。
【００１８】
風呂蓋１１０は、対向する側壁３２０の上端に設けられたリム部３１０の上面３１１に渡されるように配置される。浴槽３００には、開口３０１の全体を塞ぐため、１枚または複数枚の風呂蓋１１０が用意される。図１（ａ）に表した例では、浴槽３００に２つの風呂蓋１１０が並べて配置され、これらの風呂蓋１１０によって開口３０１の全体が覆われる。
【００１９】
風呂蓋１１０は、浴槽３００の上面３１１に載置されたときに、浴槽３００に面する下面側表皮材１０と、下面側表皮材１０と対向し浴槽３００とは反対の側に設けられる上面側表皮材２０と、を備える。また、風呂蓋１１０は、上面側表皮材２０と、下面側表皮材１０と、のあいだに設けられた芯材３０を備える。さらに、風呂蓋１１０は、下面側表皮材１０と芯材３０とのあいだに設けられた下面側繊維材４０と、上面側表皮材２０と芯材３０とのあいだに設けられた上面側繊維材５０と、を備える。
【００２０】
下面側表皮材１０および上面側表皮材２０は、伸縮性を有する。芯材３０は、例えば合成樹脂発泡体などにより形成され、断熱性を有する。下面側繊維材４０および上面側繊維材５０は、比較的小さい線膨張係数を有し、例えばポリエステル繊維などの有機素材を含む有機繊維により形成されている。下面側繊維材４０は、下面側表皮材１０と一体的に形成されていてもよい。上面側繊維材５０は、上面側表皮材２０と一体的に形成されていてもよい。また、風呂蓋１１０は、必ずしも下面側繊維材４０および上面側繊維材５０の両方を備えている必要はなく、下面側繊維材４０および上面側繊維材５０の少なくともいずれかを備えていればよい。
【００２１】
風呂蓋１１０を浴槽３００の上面３１１に載せたとき、下面側表皮材１０には湯Ｗの熱（４２℃程度）が加わる。一方、上面側表皮材２０には浴室の温度（例えば、５℃〜３０℃）が加わる。このように風呂蓋１１０の上下面で温度差があると、下面側表皮材１０の熱膨張力と上面側表皮材２０の熱膨張力とに大きな差が発生する。すると、風呂蓋１１０がバイメタル状に反ることがある。
【００２２】
一般に、均一な線膨張係数を有する平板状の構造体において、表面と裏面とに温度差が生じると、表面及び裏面のそれぞれの膨張量に差（以下、「差Δ」という。）が発生する。この膨張量の差Δの一部は構造体の内部応力として変換及び吸収され、変換及び吸収されない分は構造体に曲げ応力を発生させ、熱反りというかたちで現れる。
【００２３】
また、下面側表皮材１０および上面側表皮材２０の少なくともいずれかに生じた応力が歪みとなり、芯材３０が反ることがある。さらに、芯材３０自身が浴槽内３０２の湯Ｗの温度で暖められて線膨張することがある。すると、前述した場合と同様に、風呂蓋１１０が反ることがある。
【００２４】
ここで、風呂蓋１１０の反りについて、図面を参照しつつさらに説明する。  
図２は、本実施形態にかかる風呂蓋を主面に対して垂直にみたときの模式的平面図である。
【００２５】
図１に関して前述したように、風呂蓋１１０は、浴槽３００の上面３１１に載置されると、風呂蓋１１０の上下面での温度差などにより反ることがある。このとき、風呂蓋１１０は、中心部１１０ｃを中心として同心円状に反る。つまり、風呂蓋１１０は、中心部１１０ｃを中心とした円形１１５に略沿うように反る。一方で、風呂蓋１１０は、平面視において略矩形状を呈する。そのため、風呂蓋１１０の中心部１１０ｃと第１のコーナ部１１６ａとの間の距離Ｄ１は、風呂蓋１１０の中心部１１０ｃと側辺の第１の中央部１１７ａとの間の距離Ｄ２よりも長い。この距離（寸法）の違いにより、風呂蓋１１０の第１のコーナ部１１６ａにおける膨張量は、側辺の第１の中央部１１７ａにおける膨張量よりも大きい。これは、第２のコーナ部１１６ｂ、第３のコーナ部１１６ｃ、および第４のコーナ部１１６ｄと、側辺の第２の中央部１１７ｂ、第３の中央部１１７ｃ、および第４の中央部１１７ｄと、のそれぞれの関係についても同様である。
【００２６】
そのため、平面視において略矩形状を呈する風呂蓋１１０では、風呂蓋１１０の四隅（第１〜第４のコーナ部１１６ａ、１１６ｂ、１１６ｃ、１１６ｄ）が他の部分よりも大きく反る。すると、略矩形状の内側縁３０３を有する浴槽３００の内側縁３０３のコーナ部と、風呂蓋１１０のコーナ部と、の間に隙間が生ずる。これにより、保温性あるいは断熱性の向上を図ることができない場合がある。
【００２７】
これに対して、本実施形態にかかる風呂蓋１１０は、浴槽３００の上方を覆うと浴槽内３０２の熱で反り、下面側表皮材１０（風呂蓋１１０の裏側）が内側縁３０３のコーナ部（隅部）と密接するように変形する。そして、風呂蓋１１０は、風呂蓋１１０自身と、浴槽３００の内側縁３０３のコーナ部と、の間に隙間が生じないようにする。
【００２８】
これによれば、本実施形態にかかる風呂蓋１１０は、浴槽３００の略矩形状の内側縁３０３と密接するように反る。そのため、浴槽内３０２の熱で反った風呂蓋１１０と、浴槽３００の四隅と、の間に隙間が生じにくい。これにより、風呂蓋１１０を反らないように強固に形成する必要はなく、浴槽内３０２に張られた湯Ｗの熱が外へ逃げることを抑制することができる。また、高い断熱性を有する軽量で使い勝手のよい風呂蓋１１０を提供することができる。さらに、低コスト化を図ることができる。
【００２９】
言い換えれば、本実施形態にかかる風呂蓋１１０は、風呂蓋１１０の下面（裏面：浴槽３００の側の面）の対角線１１１、１１３上における熱膨張量を、風呂蓋１１０の中心部１１０ｃおよび側辺の第１〜第４の中央部１１７ａ、１１７ｂ、１１７ｃ、１１７ｄをそれぞれ通る仮想線１１８、１１９上における熱膨張量よりも抑制する熱膨張抑制手段を備える。熱膨張抑制手段は、風呂蓋１１０の第１〜第４のコーナ部１１６ａ、１１６ｂ、１１６ｃ、１１６ｄにおける反り量を、風呂蓋１１０の側辺の第１〜第４の中央部１１７ａ、１１７ｂ、１１７ｃ、１１７ｄにおける反り量と略同等にする。
【００３０】
これによれば、風呂蓋１１０の下面の対角線１１１、１１３上の熱膨張量をより小さく抑える、すなわち風呂蓋１１０の方向によって熱膨張量を制御することにより、風呂蓋１１０の周縁の反り量を略均一化させ、浴槽３００の内側縁３０３に風呂蓋１１０をより確実に密接させることができる。
【００３１】
次に、本実施形態にかかる風呂蓋および熱膨張抑制手段の具体例について、図面を参照しつつ説明する。  
図３は、本実施形態の風呂蓋の具体例を例示する模式的平面図である。  
また、図４は、図３に表したＢ−Ｂ線の模式的断面図である。  
また、図５は、図３に表したＢ−Ｂ線の他の模式的断面図である。
【００３２】
本具体例の風呂蓋１２０には、対角線１１１、１１３を横断するように形成された第１の切れ目（熱膨張抑制手段）１２１、第２の切れ目１２２、および第３の切れ目１２３が設けられている。図３に表した風呂蓋１２０では、第１〜第４のコーナ部１１６ａ、１１６ｂ、１１６ｃ、１１６ｄの近傍のそれぞれにおいて、風呂蓋の中心部１１０ｃから第１〜第４のコーナ部１１６ａ、１１６ｂ、１１６ｃ、１１６ｄのそれぞれに向かって３条の切れ目（第１〜第３の切れ目１２１、１２２、１２３）が配置されている。但し、切れ目の設置数は、３条に限定されず、例えば１条、２条、あるいは４条以上であってもよい。
【００３３】
以下では、第１〜第３の切れ目１２１、１２２、１２３のうち第１の切れ目１２１を例に挙げて説明する。なお、第２の切れ目１２２および第３の切れ目１２３の構造や作用効果などは、第１の切れ目１２１の構造や作用効果などと同様である。また、第１〜第４のコーナ部１１６ａ、１１６ｂ、１１６ｃ、１１６ｄのうちの第１のコーナ部１１６ａを例に挙げて説明する。
【００３４】
図４に表したように、第１の切れ目１２１は、芯材３０に形成されており、風呂蓋１２０に内在されている。つまり、第１の切れ目１２１は、風呂蓋１２０の外観には露出していない。第１の切れ目１２１は、芯材３０の上面と芯材３０の下面との間を貫通している。なお、切れ目の幅（一つの切れ目の中心部側の端部とコーナ部側の端部との距離）は、断熱性を損なわないように、より小さい方が好ましい。
【００３５】
本具体例によれば、風呂蓋１２０は、浴槽３００の上面３１１に載置されると、風呂蓋１２０の上下面での温度差などにより反る一方で、熱膨張力および膨張量は、第１の切れ目１２１により縁切りされる。そのため、第１の切れ目１２１よりも中心部１１０ｃの側の芯材３０ａにおける膨張量と、第１の切れ目１２１よりも第１のコーナ部１１６ａの側の芯材３０ｂにおける膨張量と、を分断したり不連続とすることができる。これにより、対角線１１１、１１３上における熱膨張量を仮想線１１８、１１９上における熱膨張量よりも抑制することができる。つまり、第１の切れ目１２１は、風呂蓋１１０の中心部１１０ｃと第１のコーナ部１１６ａとの間の距離Ｄ１を、風呂蓋１１０の中心部１１０ｃと側辺の第１の中央部１１７ａとの間の距離Ｄ２と略等価の距離とすることで、対角線１１１、１１３上における熱膨張量を抑える。
【００３６】
ここで、図４に表したように、第１の切れ目１２１の設置位置における下面側表皮材１０、上面側表皮材２０、下面側繊維材４０、および上面側繊維材５０に材料の余分を与えておくことがより好ましい。これによれば、熱膨張力および膨張量を第１の切れ目１２１においてより確実に縁切りさせることができる。
【００３７】
また、第１の切れ目１２１よりも第１のコーナ部１１６ａの側の芯材３０ｂは、湯Ｗの上ではなく浴槽３００の上面３１１に載置されている場合がある。この場合には、芯材３０ｂやその両側の下面側表皮材１０および上面側表皮材２０に湯Ｗの熱が加わり難い。そのため、この場合には、第１の切れ目１２１よりも第１のコーナ部１１６ａの側の風呂蓋１２０の部分がバイメタル状に反ることを抑え、対角線１１１、１１３上における熱膨張量を抑えることができる。
【００３８】
図４に表した具体例では、第１の切れ目１２１は、芯材３０の上面と芯材３０の下面との間を貫通しているが、必ずしも貫通していなくともよい。図５に表したように、第１の切れ目１３１は、溝として形成されていてもよい。つまり、本願明細書において「切れ目」という範囲には、部材を貫通したスリットや穴などだけではなく、部材を貫通していない溝や凹部などが含まれるものとする。言い換えれば、本願明細書において「切れ目」とは、部材の表面が切り欠かれた形状や、部材の表面が分断あるいは不連続な形状を有する部分をいうものとする。
【００３９】
図５に表した具体例の風呂蓋１３０には、図４に関して前述した風呂蓋１２０と同様に第１の切れ目（熱膨張抑制手段）１３１が設けられている。第１の切れ目１３１は、第１の溝１３１ａと、第２の溝１３１ｂと、第３の溝１３１ｃと、を有する。例えば、第１の溝１３１ａは、上面側表皮材２０の側に形成されている。一方、第２の溝１３１ｂおよび第３の溝１３１ｃは、下面側表皮材１０の側に形成されている。第１の溝１３１ａは、第２の溝１３１ｂと第３の溝１３１ｃとの間に設けられている。つまり、第１の切れ目１３１は、例えば蛇腹などのような構造を形成する。
【００４０】
本具体例によれば、風呂蓋１３０は、浴槽３００の上面３１１に載置されると、風呂蓋１３０の上下面での温度差などにより反る一方で、熱膨張力および膨張量は、第１の切れ目１３１により縁切りされる。そのため、第１の切れ目１３１よりも中心部１１０ｃの側の芯材３０ａにおける膨張量と、第１の切れ目１３１よりも第１のコーナ部１１６ａの側の芯材３０ｂにおける膨張量と、を分断したり不連続とすることができる。これにより、図４に関して前述した具体例の効果と同様の効果が得られる。
【００４１】
図３〜図５に関して前述した具体例によれば、風呂蓋１２０、１３０の四隅における反りを抑え、浴槽３００の四隅と風呂蓋１２０、１３０との間に隙間が生ずることを抑えることができる。これにより、図２に関して前述した効果と同様の効果が得られる。
【００４２】
また、芯材３０に切れ目を設けるだけで対角線１１１、１１３上における熱膨張量を抑えることができるため、風呂蓋１２０、１３０自体の断熱性を損なうことはない。そのため、浴槽３００と風呂蓋１２０、１３０の隙間から熱が逃げることを抑えることができる。また、切れ目を設けるための加工は、より簡易的である。
【００４３】
さらに、切れ目は、風呂蓋１２０に内在されているため、汚れが切れ目に付着することはない。そのため、風呂蓋１２０、１３０の外観を良好に保つことができる。また、風呂蓋の中心部１１０ｃからコーナ部に向かって複数条の切れ目が設けられているため、対角線１１１、１１３上における熱膨張量を抑える効果を高めることができる。
【００４４】
図６は、本実施形態の風呂蓋の他の具体例を例示する模式的分解図である。  
また、図７は、本具体例の上面側繊維材および下面側繊維材を表す模式的平面図である。
【００４５】
図６に表したように、本具体例の風呂蓋１４０では、下面側表皮材１０と芯材３０とのあいだに下面側繊維材（熱膨張抑制手段）４０が設けられている。また、上面側表皮材２０と芯材３０とのあいだに上面側繊維材（熱膨張抑制手段）５０が設けられている。以下では、下面側繊維材４０を例に挙げて説明する。なお、上面側繊維材５０の構造や設置形態などは、下面側繊維材４０の構造や設置形態などと同様である。
【００４６】
図７に表したように、本具体例では、下面側繊維材４０は、繊維が延在する方向（繊維方向）が風呂蓋１４０の対角線１１１、１１３の方向と略平行となるように配設されている。本具体例の下面側繊維材４０では、風呂蓋１４０の対角線１１１に略平行な繊維と、風呂蓋１４０の対角線１１３に略平行な繊維と、が互いに一体化され格子状に織り込まれている。
【００４７】
これによれば、下面側繊維材４０は、風呂蓋１４０の膨張抑制効果に方向性を与えることができる。すなわち、下面側繊維材４０は、繊維方向にはあまり伸びず、繊維方向（格子）の対角方向には繊維方向よりも伸びる性質を有する。そのため、対角線１１１、１１３上における熱膨張量を抑えることで、風呂蓋１４０の四隅における反りを抑え、浴槽３００の四隅と風呂蓋１４０との間に隙間が生ずることを抑えることができる。これにより、図２に関して前述した効果と同様の効果が得られる。
【００４８】
また、図１に関して前述したように、下面側繊維材４０は、比較的小さい線膨張係数を有し、例えばポリエステル繊維などの有機素材を含む有機繊維により形成されている。そのため、ガラス繊維やカーボン繊維などの比較的重くて高価な繊維を用いることはなく、軽量で安価な風呂蓋１４０を提供することができる。
【００４９】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、風呂蓋１１０、１２０、１３０、１４０などが備える各要素の形状、寸法、材質、配置などや切れ目１２１、１２２、１２３、下面側繊維材４０、および上面側繊維材５０の設置形態などは、例示したものに限定されるわけではなく適宜変更することができる。  
また、図３〜図５に関して前述した具体例と、図６〜図７に関して前述した具体例と、を技術的に可能な限りにおいて組み合わせてもよい。すなわち、芯材３０に切れ目を設けるとともに、下面側繊維材４０および上面側繊維材５０を、その繊維方向が風呂蓋の対角線１１１、１１３の方向と略平行となるように配設してもよい。    
また、前述した各実施の形態が備える各要素は、技術的に可能な限りにおいて組み合わせることができ、これらを組み合わせたものも本発明の特徴を含む限り本発明の範囲に包含される。
【符号の説明】
【００５０】
１ 下面側表皮材、  ２０ 上面側表皮材、  ３０、３０ａ、３０ｂ 芯材、  ４０ 下面側繊維材、  ５０ 上面側繊維材、  １１０ 風呂蓋、  １１０ｃ 中心部、  １１１、１１３ 対角線、  １１５ 円形、  １１６ａ 第１のコーナ部、  １１６ｂ 第２のコーナ部、  １１６ｃ 第３のコーナ部、  １１６ｄ 第４のコーナ部、  １１７ａ 第１の中央部、  １１７ｂ 第２の中央部、  １１７ｃ 第３の中央部、  １１７ｄ 第４の中央部、  １１８、１１９ 仮想線、  １２０ 風呂蓋、  １２１ 第１の切れ目、  １２２ 第２の切れ目、  １２３ 第３の切れ目、  １３０ 風呂蓋、  １３１ 第１の切れ目、  １３１ａ 第１の溝、  １３１ｂ 第２の溝、  １３１ｃ 第３の溝、  １４０ 風呂蓋、  ３００ 浴槽、  ３０１ 開口、  ３０２ 浴槽内、  ３０３ 内側縁、  ３１０ リム部、  ３１１ 上面、  ３２０ 側壁、  ３３０ 底部
【図１】
0005962962.tif 000002
【図２】
0005962962.tif 000003
【図３】
0005962962.tif 000004
【図４】
0005962962.tif 000005
【図５】
0005962962.tif 000006
【図６】
0005962962.tif 000007
【図７】
0005962962.tif 000008